(57)【特許請求の範囲】
【請求項１】
電子機器であって、
前記電子機器が浸水したことを検出するように構成された浸水検出部と、
前記浸水したことが検出された場合に、塩分濃度を計測するように構成された塩分検出部と、
前記塩分濃度に基づいて、前記電子機器が海水に浸漬したか否かを判定するように構成された海水浸漬判定部と、
前記海水浸漬判定部の判定結果に基づいて、前記電子機器を水洗いをすべきか否かを判定するように構成された水洗い要判定部と、
前記水洗いすべきと判定された場合に、警告を表示するように構成された通知部とを備える、電子機器。
【請求項２】
前記海水浸漬判定部は、前記塩分濃度が第１の所定値以上の場合、前記電子機器が海水に浸漬したと判定するように構成される、請求項１記載の電子機器。
【請求項３】
前記海水浸漬判定部は、前記塩分濃度が第１の所定値以上であるときに、判定カウンタの値をインクリメントするように構成され、
前記水洗い要判定部は、前記判定カウンタの値が閾値以上のときに、前記電子機器を水洗いすべきと判定するように構成される、請求項１記載の電子機器。
【請求項４】
前記海水浸漬判定部は、前記電子機器が浸水した時間が第１の所定時間以上の場合に、前記塩分濃度に基づいて、前記電子機器が海水に浸漬したか否かを判定するように構成される、請求項１記載の電子機器。
【請求項５】
前記海水浸漬判定部は、前記電子機器が浸水した時間が第１の所定時間以上の場合に、前記浸水が検出されたときの塩分濃度が第１の所定値以上であるときに、判定カウンタの値をインクリメントするように構成され、
前記水洗い要判定部は、前記判定カウンタの値が閾値以上のときに、前記電子機器を水洗いすべきと判定するように構成される、請求項１記載の電子機器。
【請求項６】
電子機器であって、
前記電子機器が浸水したことを検出するように構成される浸水検出部と、
前記浸水したことが検出された場合に、前記電子機器の現在位置を検出するように構成される位置検出部と、
前記現在位置に基づいて、前記電子機器が海水に浸漬したか否かを判定するように構成される海水浸漬判定部と、
前記海水浸漬判定部の判定結果に基づいて、電子機器の水洗いをすべきか否かを判定するように構成される水洗い要判定部と、
前記水洗いすべきと判定された場合に、警告を表示するように構成される通知部とを備える、電子機器。
【請求項７】
前記海水浸漬判定部は、前記現在位置が海岸付近の場合に、前記電子機器が海水に浸漬したと判定するように構成される、請求項６記載の電子機器。
【請求項８】
前記海水浸漬判定部は、前記浸水が検出されたときに前記現在位置が海岸付近である場合に、判定カウンタの値をインクリメントするように構成され、
前記水洗い要判定部は、前記判定カウンタの値が閾値以上のときに、前記電子機器を水洗いすべきと判定するように構成される、請求項６記載の電子機器。
【請求項９】
前記海水浸漬判定部は、前記電子機器が浸水した時間が第１の所定時間以上の場合に、前記現在位置が海岸付近の場合に、前記電子機器が海水に浸漬したと判定するように構成される、請求項６記載の電子機器。
【請求項１０】
前記海水浸漬判定部は、前記電子機器が浸水した時間が第１の所定時間以上の場合に、前記現在位置が海岸付近であるときに、判定カウンタの値をインクリメントするように構成され、
前記水洗い要判定部は、前記判定カウンタの値が閾値以上のときに、前記電子機器を水洗いすべきと判定するように構成される、請求項６記載の電子機器。
【請求項１１】
前記電子機器が海水に浸漬したことが判定された後、前記浸水検出部によって浸水が検出され、前記塩分検出部によって検出された塩分濃度が第２の所定値以下の場合に、前記電子機器が水洗いされたことを検出するように構成される水洗い検出部とをさらに備えた、請求項１〜５のいずれか１項に記載の電子機器。
【請求項１２】
前記電子機器が海水に浸漬したことが判定された後、前記浸水検出部によって前記電子機器が浸水した時間が第２の所定時間以上であることが検出され、前記塩分検出部によって検出された塩分濃度が第２の所定値以下の場合に、前記電子機器が水洗いされたことを検出するように構成される水洗い検出部とをさらに備えた、請求項１〜５のいずれか１項に記載の電子機器。
【請求項１３】
前記通知部は、前記水洗いされたことが検出された場合に、表示されている前記警告を消去するように構成される、請求項１１または１２記載の電子機器。
【請求項１４】
前記通知部は、さらに、水洗いが検出されたことを通知するように構成される、請求項１３記載の電子機器。
【請求項１５】
前記浸水検出部は、タッチパネルを含む、請求項１〜１４のいずれか１項に記載の電子機器。
【発明の詳細な説明】
【技術分野】
【０００１】
本開示は、電子機器に関する。
【背景技術】
【０００２】
防水構造を有する電子機器が知られている。たとえば、特許文献１に記載の携帯端末は、板金と樹脂とを含んでなり、複数の開口部を有する筐体部材と、複数の開口部のうちの少なくとも第１開口部に配置するよう挿入されて固定された回路基板と、第１開口部を塞ぐように貼り付けられたシート状部材とを有する。
【先行技術文献】
【特許文献】
【０００３】
【特許文献１】特開２０１４−１９２５６０号公報
【発明の概要】
【発明が解決しようとする課題】
【０００４】
しかしながら、特許文献１に記載の電子機器は、海水に浸漬した場合、渇いた後に塩の結晶が残るので、水洗いしないと、電子機器の性能に悪影響を与える場合がある。たとえば、スピーカなどのメッシュ部などに塩の結晶が残ると、音響性能が劣化するという問題がある。
【０００５】
それゆえに、本開示の目的は、海水に浸漬した場合に、ユーザに水洗いを促すことができる電子機器を提供することである。
【課題を解決するための手段】
【０００６】
一実施形態の電子機器は、電子機器が浸水したことを検出するように構成された浸水検出部と、浸水したことが検出された場合に、塩分濃度を計測するように構成された塩分検出部と、塩分濃度に基づいて、電子機器が海水に浸漬したか否かを判定するように構成された海水浸漬判定部と、海水浸漬判定部の判定結果に基づいて、電子機器を水洗いをすべきか否かを判定するように構成された水洗い要判定部と、水洗いすべきと判定された場合に、警告を表示するように構成された通知部とを備える。
【０００７】
他の一実施形態の電子機器は、電子機器が浸水したことを検出するように構成される浸水検出部と、浸水したことが検出された場合に、電子機器の現在位置を検出するように構成される位置検出部と、現在位置に基づいて、電子機器が海水に浸漬したか否かを判定するように構成される海水浸漬判定部と、海水浸漬判定部の判定結果に基づいて、電子機器の水洗いをすべきか否かを判定するように構成される水洗い要判定部と、水洗いすべきと判定された場合に、警告を表示するように構成される通知部とを備える。
【発明の効果】
【０００８】
一実施形態の電子機器によれば、海水に浸漬した場合に、ユーザに水洗いを促すことができる。
【図面の簡単な説明】
【０００９】
【図１】第１の実施形態のスマートフォンの構成を表わす図である。
【図２】第１の実施形態における、スマートフォンを水洗いをすべきか否かを判定する手順を表わすフローチャートである。
【図３】第１の実施形態における、スマートフォンを水洗いするように警告する手順を表わすフローチャートである。
【図４】警告のポップアップ表示の例を表わす図である。
【図５】警告アイコンの例を表わす図である。
【図６】第１の実施形態の変形例における、スマートフォンを水洗いをすべきか否かを判定する手順を表わすフローチャートである。
【図７】第２の実施形態のスマートフォンの構成を表わす図である。
【図８】第２の実施形態における、スマートフォンを水洗いをすべきか否かを判定する手順を表わすフローチャートである。
【図９】第２の実施形態における、スマートフォンを水洗いするように警告する手順を表わすフローチャートである。
【図１０】水洗い検出通知の例を表わす図である。
【図１１】第２の実施形態の変形例における、スマートフォンを水洗いをすべきか否かを判定する手順を表わすフローチャートである。
【図１２】第３の実施形態における、スマートフォンを水洗いをすべきか否かを判定する手順を表わすフローチャートである。
【図１３】第３の実施形態における、スマートフォンを水洗いするように警告する手順を表わすフローチャートである。
【図１４】第３の実施形態の変形例における、スマートフォンを水洗いをすべきか否かを判定する手順を表わすフローチャートである。
【図１５】第４の実施形態のスマートフォンの構成を表わす図である。
【図１６】第４の実施形態における、スマートフォンを水洗いをすべきか否かを判定する手順を表わすフローチャートである。
【図１７】第４の実施形態の変形例における、スマートフォンを水洗いをすべきか否かを判定する手順を表わすフローチャートである。
【図１８】第５の実施形態のスマートフォンの構成を表わす図である。
【図１９】第５の実施形態における、スマートフォンを水洗いをすべきか否かを判定する手順を表わすフローチャートである。
【図２０】第５の実施形態の変形例における、スマートフォンを水洗いをすべきか否かを判定する手順を表わすフローチャートである。
【図２１】第６の実施形態における、スマートフォンを水洗いをすべきか否かを判定する手順を表わすフローチャートである。
【図２２】第６の実施形態の変形例における、スマートフォンを水洗いをすべきか否かを判定する手順を表わすフローチャートである。
【発明を実施するための形態】
【００１０】
以下、本開示について図面を用いて説明する。
［第１の実施形態］
図１は、第１の実施形態のスマートフォン１の構成を表わす図である。
【００１１】
図１を参照して、スマートフォン１は、アンテナ１４と、無線通信部１３と、カメラ６と、ディスプレイ７と、タッチパネル２と、メモリ８と、スピーカ９と、マイク１０と、塩分検出部３と、海水浸漬判定部４と、通知部５と、水洗い要判定部１５と、防水シート１６とを備える。
【００１２】
海水浸漬判定部４と、通知部５とは、メモリ８に記憶されたプログラムを実行するＣＰＵ（Central Processing Unit）などによって実現されることができる。
【００１３】
無線通信部１３は、アンテナ１４を通じて基地局と通信することができる。
スピーカ９は、通話相手の音声などを出力することができる。
【００１４】
マイク１０は、スマートフォン１のユーザの音声などを受けることができる。
カメラ６は、被写体を撮影することができる。
【００１５】
ディスプレイ７は、たとえば液晶ディスプレイによって構成されることができる。
タッチパネル２は、ユーザからの入力を受け付けることができる。タッチパネル２は、静電容量方式のタッチパネルである。タッチパネル２は、ディスプレイ７の表面に設けられる。
【００１６】
メモリ８は、各種のデータを記憶することができる。
防水シート１６は、スマートフォン１の開口部を塞ぐように貼り付けられることによって、開口部を止水することができる。
【００１７】
従来の防水機能を有するスマートフォンでは、スマートフォンの内部に水が侵入するのを防止することができたが、スマートフォンが海水に浸漬したことを検出して、ユーザに水洗いを促すことができなかった。第１の実施形態では、塩分検出部３、海水浸漬判定部４、水洗い要判定部１５、および通知部５によって、このような問題を解決することができる。
【００１８】
塩分検出部３は、スマートフォン１の周囲の塩水の塩分濃度を検出することができる。
海水浸漬判定部４は、塩分検出部３で検出された塩分濃度に基づいて、スマートフォン１が海水に浸漬したか否かを判定する。
【００１９】
水洗い要判定部１５は、海水浸漬判定部４の判定結果に基づいて、スマートフォン１を水洗いすべきか否かを判定する。
【００２０】
通知部５は、水洗いすべきと判定された場合に、警告をディスプレイ７に表示する。
図２は、第１の実施形態における、スマートフォン１を水洗いをすきか否かを判定する手順を表わすフローチャートである。
【００２１】
まず、ステップＳ１０１において、塩分検出部３は、スマートフォン１の周囲の塩水の塩分濃度を検出することができる。
【００２２】
ステップＳ１０２において、海水浸漬判定部４は、検出された塩分濃度が所定値Ｘ％以上の場合に（Ｓ１０２；ＹＥＳ）、処理をステップＳ１０３に進ませ、検出された塩分濃度が所定値Ｘ％未満の場合に（Ｓ１０２：ＮＯ）、処理をステップＳ１０１に戻らせる。
【００２３】
ステップＳ１０３において、海水浸漬判定部４は、スマートフォン１が海水に浸漬したと判定することができる。
【００２４】
ステップＳ１０４において、水洗い要判定部１５は、スマートフォン１を水洗いすべきと判定して、現在のモードを警告モードに設定することができる。
【００２５】
図３は、第１の実施形態における、スマートフォン１を水洗いするように警告する手順を表わすフローチャートである。図４は、警告のポップアップ表示の例を表わす図である。図５は、警告アイコンの例を表わす図である。
【００２６】
図３、図４、および図５を参照して、ステップＳ１３０１において、警告モードが設定されている場合に（Ｓ１３０１：ＹＥＳ）、処理がステップＳ１３０２に進む。
【００２７】
ステップＳ１３０２において、スマートフォン１の電源直後またはロック解除直後の場合に（Ｓ１３０２：ＹＥＳ）、処理がステップＳ１３０３に進み、上記以外の場合に（Ｓ１３０２：ＮＯ）、処理がステップＳ１３０４に進む。
【００２８】
ステップＳ１３０３において、通知部５は、図４に示すように、ディスプレイ７上に警告をポップアップ表示することができる。図４の例では、警告９２と確認ボタン９５とが表示される。
【００２９】
ステップＳ１３０４において、通知部５は、図５に示すように、ディスプレイ７上に警告アイコンを表示することができる。図５の例では、警告アイコン９１が表示される。
【００３０】
ステップＳ１３０４の後、ステップＳ１３０５において、ユーザによるタッチパネル２への操作によって、警告アイコンが選択された場合に（Ｓ１３０５：ＹＥＳ）、処理が前述のステップＳ１３０３に進む。
【００３１】
ステップＳ１３０３の後、ステップＳ１３０６において、ユーザによるタッチパネル２への操作によって、ポップアップに含まれている確認ボタンが選択された場合に（Ｓ１３０６：ＹＥＳ）、処理がステップＳ１３０７に進む。
【００３２】
ステップＳ１３０７において、通知部５は、警告のポップアップ表示を消去することができる。
【００３３】
以上のように、第１の実施形態によれば、スマートフォン１の周囲の塩水の塩分濃度を検出し、検出された塩分濃度に基づいて、スマートフォン１が海水に浸漬したか否かを判定し、スマートフォン１が海水に浸漬したと判定された場合に、警告を表示する。ユーザは、警告に従って、スマートフォン１を水洗いすることによって、音響性能などのスマートフォン１の性能の劣化を防止することができる。
【００３４】
［第１の実施形態の変形例］
図６は第１の実施形態の変形例における、スマートフォンを水洗いをすべきか否かを判定する手順を表わすフローチャートである。
【００３５】
ステップＳ２０１において、スマートフォン１の電源がオンに設定される。
ステップＳ２０２において、塩分検出部３は、スマートフォン１の周囲の塩分濃度を検出することができる。
【００３６】
ステップＳ２０３において、海水浸漬判定部４は、検出された塩分濃度が所定値Ｘ％以上の場合に（Ｓ２０３：ＹＥＳ）、処理をステップＳ２０４に進ませ、検出された塩分濃度が所定値Ｘ％未満の場合に（Ｓ２０３：ＮＯ）、処理をステップＳ２０２に戻らせる。
【００３７】
ステップＳ２０４において、海水浸漬判定部４は、スマートフォン１が海水に浸漬したと判定し、判定カウンタの値をインクリメントすることができる。
【００３８】
ステップＳ２０５において、判定カウンタの値が閾値ＴＨ１以上の場合に（Ｓ２０５：ＹＥＳ）、処理がステップＳ２０６に進み、判定カウンタの値が閾値ＴＨ１未満の場合に（Ｓ２０５：ＮＯ）、処理がステップＳ２０８に進む。
【００３９】
ステップＳ２０７において、水洗い要判定部１５は、スマートフォン１を水洗いすべきと判定して、現在のモードを警告モードに設定することができる。
【００４０】
ステップＳ２０８において、スマートフォン１の電源がオフに設定された場合に（Ｓ２０８：ＹＥＳ）、処理がステップＳ２０９に進み、スマートフォン１の電源がオン状態を維持する場合に（Ｓ２０８：ＮＯ）、処理がステップＳ２１０に進む。
【００４１】
ステップＳ２０９において、海水浸漬判定部４は、判定カウンタの値をメモリ８に記憶させる。これによって、次回、スマートフォン１の電源がオンにされたときに、記憶されている判定カウンタの値を読出すことによって、これまでに海水へ浸漬した回数を反映したカウントが可能となる。
【００４２】
ステップＳ２１０において、一定時間処理がウエイトした後、処理がステップＳ２０２に戻る。
【００４３】
以上のように、この変形例によれば、塩分濃度の検出結果に基づいて海水に浸漬した回数が閾値以上となったと判定されると、水洗いするように警告が通知されるので、スマートフォン１が海水に浸漬した回数が多いほど、累積する塩の結晶が多くなるような場合に、特に効果がある。
【００４４】
［第２の実施形態］
図７は、第２の実施形態のスマートフォン１の構成を表わす図である。
【００４５】
図７に示すように、第２の実施形態のスマートフォン１は、図１の第１の実施形態のスマートフォン１が備える構成に加えて、さらに浸水検出部５１と、水洗い検出部９８とを備える。
【００４６】
第２の実施形態では、タッチパネル２は、ユーザの入力を受け付けるだけでなく、スマートフォン１が浸水したことを検出するためにも用いられる。
【００４７】
浸水検出部５１は、タッチパネル２の静電容量に基づいて、スマートフォン１が浸水したか否かを検出することができる。具体的には、浸水検出部５１は、タッチパネル２の全領域において、静電容量が所定値ＴＨ２以上、かつ閾値ＴＨ１未満となったときに、スマートフォン１が浸水したことを検出する。ただし、閾値ＴＨ１は、タッチパネル２へのユーザの指の接触を検出するための閾値である。
【００４８】
水洗い検出部９８は、スマートフォン１が海水に浸漬したことが判定された後、浸水検出部５１によって浸水が検出され、塩分検出部３によって検出された塩分濃度がＹ％以下の場合に、スマートフォン１が水洗いされたことを検出する。
【００４９】
図８は、第２の実施形態における、スマートフォン１を水洗いをすきか否かを判定する手順を表わすフローチャートである。
【００５０】
ステップＳ３０１において、浸水検出部５１によってスマートフォン１が浸水したことが検出された場合に（Ｓ３０１：ＹＥＳ）、処理がステップＳ３０２に進む。
【００５１】
ステップＳ３０２において、塩分検出部３は、スマートフォン１の周囲の塩分濃度を検出することができる。
【００５２】
ステップＳ３０３において、浸水検出部５１によってスマートフォン１の浸水が終了したことが検出された場合に（Ｓ３０３：ＹＥＳ）、処理がステップＳ３０４に進む。
【００５３】
ステップＳ３０４において、海水浸漬判定部４は、スマートフォン１が浸水中における平均の塩分濃度を算出することができる。
【００５４】
ステップＳ３０５において、海水浸漬判定部４は、平均の塩分濃度が所定値Ｘ％以上の場合に（Ｓ３０５：ＹＥＳ）、処理をステップＳ３０６に進ませる。
【００５５】
ステップＳ３０６において、海水浸漬判定部４は、スマートフォン１が海水に浸漬したと判定することができる。
【００５６】
ステップＳ３０７において、水洗い要判定部１５は、スマートフォン１を水洗いすべきと判定して、現在のモードを警告モードに設定することができる。
【００５７】
図９は、第２の実施形態における、スマートフォン１を水洗いするように警告する手順を表わすフローチャートである。図１０は、水洗い検出通知の例を表わす図である。
【００５８】
図９のフローチャートが、第１の実施形態の図３のフローチャートと相違する点は、ステップＳ１４０１〜Ｓ１４０７が追加されている点である。
【００５９】
図９および図１０を参照して、ステップＳ１３０６においてＮＯの場合に、ステップＳ１４０１において、浸水検出部５１によってスマートフォン１が浸水したことが検出された場合に（Ｓ１４０１：ＹＥＳ）、処理がステップＳ１４０２に進む。
【００６０】
ステップＳ１４０２において、塩分検出部３は、スマートフォン１の周囲の塩分濃度を検出することができる。
【００６１】
ステップＳ１４０３において、浸水検出部５１によってスマートフォン１の浸水が終了したことが検出された場合に（Ｓ１４０３：ＹＥＳ）、処理がステップＳ１４０４に進む。
【００６２】
ステップＳ１４０４において、海水浸漬判定部４は、スマートフォン１が浸水中における平均の塩分濃度を算出する。
【００６３】
ステップＳ１４０５において、海水浸漬判定部４は、平均の塩分濃度が所定値Ｙ％以下の場合に（Ｓ１４０５：ＹＥＳ）、処理をステップＳ１４０６に進ませる。
【００６４】
ステップＳ１４０６において、水洗い検出部９８は、スマートフォン１が水洗いされたことを検出することができる。
【００６５】
ステップＳ１４０７において、通知部５は、警告のポップアップ表示を消去することができる。さらに、通知部５は、図１０に示すように、水洗い検出通知をディスプレイ７に表示することができる。図１０の例では、水洗いが検出されたが、引き続き注意して使用することを勧めるメッセージ９３が表示される。
【００６６】
以上のように、第２の実施形態によれば、浸水が検出されたことをトリガとして、塩分濃度が計測されるので、塩分検出部３が常に塩分濃度を計測しなければならない事態を防止することができる。さらに、第２の実施形態によれば、水洗いされたことが検出された場合に、警告を自動的に消去することができるので、ユーザが手動で警告を消去する手間を省くことができる。
【００６７】
［第２の実施形態の変形例］
図１１は、第２の実施形態の変形例における、スマートフォン１を水洗いをすべきか否かを判定する手順を表わすフローチャートである。
【００６８】
ステップＳ４０１において、スマートフォン１の電源がオンに設定される。
ステップＳ４０２において、浸水検出部５１によってスマートフォン１が浸水したことが検出された場合に（Ｓ４０２：ＹＥＳ）、処理がステップＳ４０３に進む。
【００６９】
ステップＳ４０３において、塩分検出部３は、スマートフォン１の周囲の塩分濃度を検出することができる。
【００７０】
ステップＳ４０４において、浸水検出部５１によってスマートフォン１の浸水が終了したことが検出された場合に（Ｓ４０４：ＹＥＳ）、処理がステップＳ４０５に進む。
【００７１】
ステップＳ４０５において、海水浸漬判定部４は、スマートフォン１が浸水中における平均の塩分濃度を算出する。
【００７２】
ステップＳ４０６において、海水浸漬判定部４は、平均の塩分濃度が所定値Ｘ％以上の場合には、処理をステップＳ４０７に進ませる。
【００７３】
ステップＳ４０７において、海水浸漬判定部４は、スマートフォン１が海水に浸漬したと判定し、判定カウンタの値をインクリメントすることができる。
【００７４】
ステップＳ４０８において、判定カウンタの値が閾値ＴＨ１以上の場合に（Ｓ４０８：ＹＥＳ）、処理がステップＳ４０９に進み、判定カウンタの値が閾値ＴＨ１未満の場合に（Ｓ４０８：ＮＯ）、処理がステップＳ４１１に進む。
【００７５】
ステップＳ４１０において、水洗い要判定部１５は、スマートフォン１を水洗いすべきと判定して、現在のモードを警告モードに設定することができる。
【００７６】
ステップＳ４１１において、スマートフォン１の電源がオフに設定された場合に（Ｓ４１１：ＹＥＳ）、処理がステップＳ４１２に進み、スマートフォン１の電源がオン状態を維持する場合に（Ｓ４１１：ＮＯ）、処理がステップＳ４１３に進む。
【００７７】
ステップＳ４１２において、海水浸漬判定部４は、判定カウンタの値をメモリ８に記憶させる。
【００７８】
ステップＳ４１３において、一定時間処理がウエイトした後、処理がステップＳ４０２に戻る。
【００７９】
以上のように、この変形例によれば、浸水の有無および塩分濃度の検出結果に基づいて、海水に浸漬した回数が閾値以上となったと判定されると、水洗いするように警告が通知されるので、スマートフォン１が海水に浸漬した回数が多いほど、累積する塩の結晶が多くなるような場合に、特に効果がある。
【００８０】
［第３の実施形態］
図１２は、第３の実施形態における、スマートフォン１を水洗いをすべきか否かを判定する手順を表わすフローチャートである。
【００８１】
ステップＳ５０１において、浸水検出部５１によってスマートフォン１が浸水したことが検出された場合に（Ｓ５０１：ＹＥＳ）、処理がステップＳ５０２に進む。
【００８２】
ステップＳ５０２において、塩分検出部３は、スマートフォン１の周囲の塩分濃度を検出することができる。
【００８３】
ステップＳ５０３において、浸水検出部５１によってスマートフォン１の浸水が終了したことが検出された場合に（Ｓ５０３：ＹＥＳ）、処理がステップＳ５０４に進む。
【００８４】
ステップＳ５０４において、海水浸漬判定部４は、スマートフォン１が浸水した時間を算出することができる。
【００８５】
ステップＳ５０５において、スマートフォン１が浸水した時間が所定値ＴＨ２以上の場合に（Ｓ５０５：ＹＥＳ）、処理がステップＳ５０６に進む。
【００８６】
ステップＳ５０６において、海水浸漬判定部４は、スマートフォン１が浸水中における平均の塩分濃度を算出することができる。
【００８７】
ステップＳ５０７において、海水浸漬判定部４は、平均の塩分濃度が所定値Ｘ％以上の場合に（Ｓ５０７：ＹＥＳ）、処理をステップＳ５０８に進ませる。
【００８８】
ステップＳ５０８において、海水浸漬判定部４は、スマートフォン１が海水に浸漬したと判定することができる。
【００８９】
ステップＳ５０９において、水洗い要判定部１５は、スマートフォン１を水洗いすべきと判定して、現在のモードを警告モードに設定することができる。
【００９０】
図１３は、第３の実施形態における、スマートフォン１を水洗いするように警告する手順を表わすフローチャートである。
【００９１】
図１３のフローチャートが、第１の実施形態の図３のフローチャートと相違する点は、ステップＳ１５０１〜Ｓ１５０９が追加されている点である。
【００９２】
図１３を参照して、ステップＳ１３０６においてＮＯの場合に、ステップＳ１５０１において、浸水検出部５１によってスマートフォン１が浸水したことが検出された場合に（Ｓ１５０１：ＹＥＳ）、処理がステップＳ１５０２に進む。
【００９３】
ステップＳ１５０２において、塩分検出部３は、スマートフォン１の周囲の塩分濃度を検出することができる。
【００９４】
ステップＳ１５０３において、浸水検出部５１によってスマートフォン１の浸水が終了したことが検出された場合に（Ｓ１５０３：ＹＥＳ）、処理がステップＳ１５０４に進む。
【００９５】
ステップＳ１５０４において、海水浸漬判定部４は、スマートフォン１が浸水した時間を算出することができる。
【００９６】
ステップＳ１５０５において、スマートフォン１が浸水した時間が所定値ＴＨ３以上の場合に（Ｓ１５０５：ＹＥＳ）、処理がステップＳ１５０６に進む。
【００９７】
ステップＳ１５０６において、海水浸漬判定部４は、スマートフォン１が浸水中における平均の塩分濃度を算出する。
【００９８】
ステップＳ１５０７において、海水浸漬判定部４は、平均の塩分濃度が所定値Ｙ％以下の場合に（Ｓ１５０７：ＹＥＳ）、処理をステップＳ１５０８に進ませる。
【００９９】
ステップＳ１５０８において、水洗い検出部９８は、スマートフォン１が水洗いされたことを検出することができる。
【０１００】
ステップＳ１５０９において、通知部５は、警告のポップアップ表示を消去することができる。さらに、通知部５は、図１０に示すように、水洗い検出通知をディスプレイ７に表示することができる。図１０の例では、水洗いが検出されたが、引き続き注意して使用することを勧めるメッセージが表示される。
【０１０１】
以上のように、第３の実施形態では、浸水した時間が閾値以上でなければ、海水への浸漬が判定されないので、短時間だけ海水に浸漬しただけでは、渇いた後、塩の結晶が残る可能性が少ないような場合に、特に効果がある。さらに、第３の実施形態によれば、所定時間以上水洗いされたことが検出されないと、警告を自動的に消去されないので、短時間だけ水洗いしただけでは、塩の結晶が除去できないような場合に、特に効果がある。
【０１０２】
［第３の実施形態の変形例］
図１４は、第３の実施形態の変形例における、スマートフォン１を水洗いをすべきか否かを判定する手順を表わすフローチャートである。
【０１０３】
ステップＳ６０１において、スマートフォン１の電源がオンに設定される。
ステップＳ６０２において、浸水検出部５１によってスマートフォン１が浸水したことが検出された場合に（Ｓ６０２：ＹＥＳ）、処理がステップＳ６０３に進む。
【０１０４】
ステップＳ６０３において、塩分検出部３は、スマートフォン１の周囲の塩分濃度を検出することができる。
【０１０５】
ステップＳ６０４において、浸水検出部５１によってスマートフォン１の浸水が終了したことが検出された場合に（Ｓ６０４：ＹＥＳ）、処理がステップＳ６０５に進む。
【０１０６】
ステップＳ６０５において、海水浸漬判定部４は、スマートフォン１が浸水した時間を算出することができる。
【０１０７】
ステップＳ６０６において、スマートフォン１が浸水した時間が所定値ＴＨ２以上の場合に（Ｓ６０６：ＹＥＳ）、処理がステップＳ６０７に進む。
【０１０８】
ステップＳ６０７において、海水浸漬判定部４は、スマートフォン１が浸水中における平均の塩分濃度を算出することができる。
【０１０９】
ステップＳ６０８において、海水浸漬判定部４は、平均の塩分濃度が所定値Ｘ％以上の場合に（Ｓ６０８：ＹＥＳ）、処理をステップＳ６０９に進ませる。
【０１１０】
ステップＳ６０９において、海水浸漬判定部４は、スマートフォン１が海水に浸漬したと判定し、判定カウンタの値をインクリメントすることができる。
【０１１１】
ステップＳ６１０において、判定カウンタの値が閾値ＴＨ１以上の場合に（Ｓ６１０：ＹＥＳ）、処理がステップＳ６１１に進み、判定カウンタの値が閾値ＴＨ１未満の場合に（Ｓ６１０：ＮＯ）、処理がステップＳ６１３に進む。
【０１１２】
ステップＳ６１２において、水洗い要判定部１５は、スマートフォン１を水洗いすべきと判定して、現在のモードを警告モードに設定することができる。
【０１１３】
ステップＳ６１３において、スマートフォン１の電源がオフに設定された場合に（Ｓ６１３：ＹＥＳ）、処理がステップＳ６１４に進み、スマートフォン１の電源がオン状態を維持する場合に（Ｓ６１３：ＮＯ）、処理がステップＳ６１５に進む。
【０１１４】
ステップＳ６１４において、海水浸漬判定部４は、判定カウンタの値をメモリ８に記憶させる。
【０１１５】
ステップＳ６１５において、一定時間処理がウエイトした後、処理がステップＳ６０２に戻る。
【０１１６】
以上のように、この変形例によれば、浸水時間および塩分濃度の検出結果に基づいて、海水に浸漬した回数が閾値以上となったと判定されると、水洗いするように警告が通知されるので、スマートフォン１が海水に浸漬した回数が多いほど、累積する塩の結晶が多くなるような場合に、特に効果がある。
【０１１７】
［第４の実施形態］
図１５は、第４の実施形態のスマートフォン１の構成を表わす図である。
【０１１８】
図１５に示すように、第４の実施形態のスマートフォン１は、図１の第１の実施形態のスマートフォン１が備える塩分検出部３に代えて、位置検出部４３を備える。
【０１１９】
位置検出部４３は、ＧＰＳ（Global Positioning System）受信機を備える。位置検出部４３は、ＧＰＳ受信機が受信したデータに基づいて、スマートフォン１の現在位置を検出することができる。
【０１２０】
図１６は、第４の実施形態における、スマートフォン１を水洗いをすべきか否かを判定する手順を表わすフローチャートである。
【０１２１】
まず、ステップＳ７０１において、位置検出部４３は、スマートフォン１の現在位置を検出することができる。
【０１２２】
ステップＳ７０２において、海水浸漬判定部４は、現在位置が海岸付近の場合に（Ｓ７０２：ＹＥＳ）、処理をステップＳ７０３に進ませる。
【０１２３】
ステップＳ７０３において、海水浸漬判定部４は、スマートフォン１が海水に浸漬したと判定することができる。
【０１２４】
ステップＳ７０４において、水洗い要判定部１５は、スマートフォン１を水洗いすべきと判定して、現在のモードを警告モードに設定することができる。
【０１２５】
以上のように、第４の実施形態によれば、スマートフォン１の現在位置を検出し、現在位置に基づいて、スマートフォン１が海水に浸漬したか否かを判定し、スマートフォン１が海水に浸漬したと判定された場合に、警告を表示する。ユーザは、警告に従って、スマートフォン１を水洗いすることによって、音響性能などのスマートフォン１の性能の劣化を防止することができる。
【０１２６】
［第４の実施形態の変形例］
図１７は、第４の実施形態の変形例における、スマートフォン１を水洗いをすべきか否かを判定する手順を表わすフローチャートである。
【０１２７】
ステップＳ８０１において、スマートフォン１の電源がオンに設定される。
ステップＳ８０２において、位置検出部４３は、スマートフォン１の現在位置を検出することができる。
【０１２８】
ステップＳ８０３において、海水浸漬判定部４は、現在位置が海岸付近の場合に（Ｓ８０３：ＹＥＳ）、処理をステップＳ８０４に進ませる。
【０１２９】
ステップＳ８０４において、海水浸漬判定部４は、スマートフォン１が海水に浸漬したと判定し、判定カウンタの値をインクリメントすることができる。
【０１３０】
ステップＳ８０５において、判定カウンタの値が閾値ＴＨ１以上の場合に（Ｓ８０５：ＹＥＳ）、処理がステップＳ８０６に進み、判定カウンタの値が閾値ＴＨ１未満の場合に（Ｓ８０５：ＮＯ）、処理がステップＳ８０８に進む。
【０１３１】
ステップＳ８０７において、水洗い要判定部１５は、スマートフォン１を水洗いすべきと判定して、現在のモードを警告モードに設定することができる。
【０１３２】
ステップＳ８０８において、スマートフォン１の電源がオフに設定された場合に（Ｓ８０８：ＹＥＳ）、処理がステップＳ８０９に進み、スマートフォン１の電源がオン状態を維持する場合に（Ｓ８０８：ＮＯ）、処理がステップＳ８１０に進む。
【０１３３】
ステップＳ８０９において、海水浸漬判定部４は、判定カウンタの値をメモリ８に記憶させる。
【０１３４】
ステップＳ８１０において、一定時間処理がウエイトした後、処理がステップＳ８０２に戻る。
【０１３５】
以上のように、この変形例によれば、スマートフォン１の現在位置に基づいて、海水に浸漬した回数が閾値以上となったと判定されると、水洗いするように警告が通知されるので、スマートフォン１が海水に浸漬した回数が多いほど、累積する塩の結晶が多くなるような場合に、特に効果がある。
【０１３６】
［第５の実施形態］
図１８は、第５の実施形態のスマートフォン１の構成を表わす図である。
【０１３７】
図１８に示すように、第５の実施形態のスマートフォン１は、図１５の第４の実施形態のスマートフォン１が備える構成に加えて、さらに浸水検出部５１を備える。
【０１３８】
浸水検出部５１は、タッチパネル２の静電容量に基づいて、スマートフォン１が浸水したか否かを検出することができる。具体的には、浸水検出部５１は、タッチパネル２の全領域において、静電容量が所定値ＴＨ２以上、かつ閾値ＴＨ１未満となったときに、スマートフォン１が浸水したことを検出する。ただし、閾値ＴＨ１は、タッチパネル２へのユーザの指の接触を検出するための閾値である。
【０１３９】
図１９は、第５の実施形態における、スマートフォン１を水洗いをすべきか否かを判定する手順を表わすフローチャートである。
【０１４０】
ステップＳ９０１において、浸水検出部５１によってスマートフォン１が浸水したことが検出された場合に（Ｓ９０１：ＹＥＳ）、処理がステップＳ９０２に進む。
【０１４１】
ステップＳ９０２において、位置検出部４３は、スマートフォン１の現在位置を検出することができる。
【０１４２】
ステップＳ４０３において、海水浸漬判定部４は、現在位置が海岸付近の場合に（Ｓ９０３：ＹＥＳ）、処理をステップＳ９０４に進ませる。
【０１４３】
ステップＳ４０４において、海水浸漬判定部４は、スマートフォン１が海水に浸漬したと判定することができる。
【０１４４】
ステップＳ９０５において、水洗い要判定部１５は、スマートフォン１を水洗いすべきと判定して、現在のモードを警告モードに設定することができる。
【０１４５】
以上のように、第５の実施形態によれば、浸水が検出され、かつ現在位置が海岸付近の場合に海水へ浸漬したと判定されるので、スマートフォン１の現在位置が海岸付近にあるが、実際には海水に浸漬していない場合に、海水へ浸漬したと判定されるのを防止することができる。
【０１４６】
［第５の実施形態の変形例］
図２０は、第５の実施形態の変形例における、スマートフォン１を水洗いをすべきか否かを判定する手順を表わすフローチャートである。
【０１４７】
ステップＳ１００１において、スマートフォン１の電源がオンに設定される。
ステップＳ１００２において、浸水検出部５１によってスマートフォン１が浸水したことが検出された場合に（Ｓ１００１：ＹＥＳ）、処理がステップＳ１００２に進む。
【０１４８】
ステップＳ１００３において、位置検出部４３は、スマートフォン１の現在位置を検出することができる。
【０１４９】
ステップＳ１００４において、海水浸漬判定部４は、現在位置が海岸付近の場合に（Ｓ１００４：ＹＥＳ）、処理をステップＳ１００４に進ませる。
【０１５０】
ステップＳ１００５において、海水浸漬判定部４は、スマートフォン１が海水に浸漬したと判定し、判定カウンタの値をインクリメントすることができる。
【０１５１】
ステップＳ１００６において、判定カウンタの値が閾値ＴＨ１以上の場合に（Ｓ１００６：ＹＥＳ）、処理がステップＳ１００７に進み、判定カウンタの値が閾値ＴＨ１未満の場合に（Ｓ１００６：ＮＯ）、処理がステップＳ１００９に進む。
【０１５２】
ステップＳ１００８において、水洗い要判定部１５は、スマートフォン１を水洗いすべきと判定して、現在のモードを警告モードに設定することができる。
【０１５３】
ステップＳ１００９において、スマートフォン１の電源がオフに設定された場合に（Ｓ１００９：ＹＥＳ）、処理がステップＳ１０１０に進み、スマートフォン１の電源がオン状態を維持する場合に（Ｓ１００９：ＮＯ）、処理がステップＳ１０１１に進む。
【０１５４】
ステップＳ１０１０において、海水浸漬判定部４は、判定カウンタの値をメモリ８に記憶させる。
【０１５５】
ステップＳ１０１１において、一定時間処理がウエイトした後、処理がステップＳ２０２に戻る。
【０１５６】
以上のように、この変形例によれば、スマートフォン１の現在位置およびスマートフォン１の浸水の有無に基づいて、海水に浸漬した回数が閾値以上となったと判定されると、水洗いするように警告が通知されるので、スマートフォン１が海水に浸漬した回数が多いほど、累積する塩の結晶が多くなるような場合に、特に効果がある。
【０１５７】
［第６の実施形態］
図２１は、第６の実施形態における、スマートフォン１を水洗いをすべきか否かを判定する手順を表わすフローチャートである。
【０１５８】
ステップＳ１１０１において、浸水検出部５１によってスマートフォン１が浸水したことが検出された場合に（Ｓ１１０１：ＹＥＳ）、処理がステップＳ１１０２に進む。
【０１５９】
ステップＳ１１０２において、位置検出部４３は、スマートフォン１の現在位置を検出することができる。
【０１６０】
ステップＳ１１０３において、浸水検出部５１によってスマートフォン１の浸水が終了したことが検出された場合に（Ｓ１１０３：ＹＥＳ）、処理がステップＳ１１０４に進む。
【０１６１】
ステップＳ１１０４において、海水浸漬判定部４は、スマートフォン１が浸水した時間を算出することができる。
【０１６２】
ステップＳ１１０５において、スマートフォン１が浸水した時間が所定値ＴＨ２以上の場合に（Ｓ１１０５：ＹＥＳ）、処理がステップＳ１１０６に進む。
【０１６３】
ステップＳ１１０６において、海水浸漬判定部４は、現在位置が海岸付近の場合に（Ｓ１１０６：ＹＥＳ）、処理をステップＳ１１０７に進ませる。
【０１６４】
ステップＳ１１０７において、海水浸漬判定部４は、スマートフォン１が海水に浸漬したと判定することができる。
【０１６５】
ステップＳ１１０８において、水洗い要判定部１５は、スマートフォン１を水洗いすべきと判定して、現在のモードを警告モードに設定することができる。
【０１６６】
以上のように、第６の実施形態では、浸水した時間が閾値以上でなければ、海水への浸漬が判定されないので、短時間だけ海水に浸漬しただけでは、渇いた後、塩の結晶が残る可能性が少ないような場合に、特に効果がある。
【０１６７】
［第６の実施形態の変形例］
図２２は、第６の実施形態の変形例における、スマートフォン１を水洗いをすべきか否かを判定する手順を表わすフローチャートである。
【０１６８】
ステップＳ１２０１において、スマートフォン１の電源がオンに設定される。
ステップＳ１２０２において、浸水検出部５１によってスマートフォン１が浸水したことが検出された場合に（Ｓ１２０１：ＹＥＳ）、処理がステップＳ１２０２に進む。
【０１６９】
ステップＳ１２０３において、位置検出部４３は、スマートフォン１の現在位置を検出することができる。
【０１７０】
ステップＳ１２０４において、浸水検出部５１によってスマートフォン１の浸水が終了したことが検出された場合に（Ｓ１２０４：ＹＥＳ）、処理がステップＳ１２０５に進む。
【０１７１】
ステップＳ１２０５において、海水浸漬判定部４は、スマートフォン１が浸水した時間を算出することができる。
【０１７２】
ステップＳ１２０６において、スマートフォン１が浸水した時間が所定値ＴＨ２以上の場合に（Ｓ１２０６：ＹＥＳ）、処理がステップＳ１２０７に進む。
【０１７３】
ステップＳ１２０７において、海水浸漬判定部４は、現在位置が海岸付近の場合に（Ｓ１２０７：ＹＥＳ）、処理をステップＳ１２０８に進ませる。
【０１７４】
ステップＳ１２０８において、海水浸漬判定部４は、スマートフォン１が海水に浸漬したと判定し、判定カウンタの値をインクリメントすることができる。
【０１７５】
ステップＳ１２０９において、判定カウンタの値が閾値ＴＨ１以上の場合に（Ｓ１２０９：ＹＥＳ）、処理がステップＳ１２１０に進み、判定カウンタの値が閾値ＴＨ１未満の場合に（Ｓ１２０９：ＮＯ）、処理がステップＳ１２１２に進む。
【０１７６】
ステップＳ１２１１において、水洗い要判定部１５は、スマートフォン１を水洗いすべきと判定して、現在のモードを警告モードに設定することができる。
【０１７７】
ステップＳ１２１２において、スマートフォン１の電源がオフに設定された場合に（Ｓ１２１２：ＹＥＳ）、処理がステップＳ１２１３に進み、スマートフォン１の電源がオン状態を維持する場合に（Ｓ１２１２：ＮＯ）、処理がステップＳ１２１４に進む。
【０１７８】
ステップＳ１２１３において、海水浸漬判定部４は、判定カウンタの値をメモリ８に記憶させる。
【０１７９】
ステップＳ１２１４において、一定時間処理がウエイトした後、処理がステップＳ２０２に戻る。
【０１８０】
以上のように、この変形例によれば、スマートフォン１の現在位置およびスマートフォン１の浸水時間に基づいて、海水に浸漬した回数が閾値以上となったと判定されると、水洗いするように警告が通知されるので、スマートフォン１が海水に浸漬した回数が多いほど、累積する塩の結晶が多くなるような場合に、特に効果がある。
【０１８１】
（変形例）
本開示は、上記の実施形態に限定されるものではなく、たとえば以下のような変形例も含む。
【０１８２】
（１）水洗い検出
第２および第３の実施形態では、所定値以下の塩分濃度の水に浸漬した場合に、水洗いがなされたことを検出したが、これに限定するものではない。高い温度の水に浸漬した場合に、塩の結晶が溶けやすいという特性があるので、この性質を利用してもよい。たとえば、水洗い検出部は、温度センサを備え、所定温度以上の水に所定時間以上浸漬した場合に、水洗いがなされたと検出するものとしてもよい。
【０１８３】
（２）塩の結晶の残留量
スマートフォンは、浸漬した海水の濃度、海水に浸漬した時間、海水に浸漬した回数に基づいて、渇いた後に残留する塩の結晶の量を推定するものとしてもよい。さらに、スマートフォンが、水洗いの時間に基づいて、塩の結晶の除去量を推定するものとしてもよい。
【０１８４】
（３）重み付けカウント
第１〜第３の実施形態において、所定値以上の塩分濃度の塩水に浸漬した回数をカウントしたが、これに限定するものではない。塩分濃度が高いほど重みを大きくした重み付きカウント、または浸水時間が長いほど重みを大きくした重み付けカウントを行なうものとしてもよい。
【０１８５】
（４）警告通知
上記の実施形態では、警告をポップアップ表示、またはアイコンで表示したが、これに限定されるものではない。たとえば、音声のメッセージで警告を通知してもよいし、あるいは警告音を通知するものとしてもよい。
【０１８６】
さらに、上記の実施形態では、電源オン直後またはロック解除後には、ポップアップで警告が表示され、それ以外では、警告アイコンが表示されたが、これに限定するものではない。たとえば、一定時間ごとにポップアップで警告を表示するものとしてもよい。
【０１８７】
（５）浸水検出
上記の実施形態では、浸水検出部は、静電容量型タッチパネルの静電容量を検出することによって、スマートフォンの浸水を検出したが、これに限定するものではない。たとえば、気圧センサを用いて、気圧を計測することによって、浸水を検出するものとしてもよい。あるいは、感圧式タッチパネルに加わる圧力を検出することによって、スマートフォンの浸水を検出することとしてもよい。具体的には、浸水検出部は、感圧式タッチパネルの全領域において、圧力が所定値ＴＨＸ以上、かつ閾値ＴＨ１未満となったときに、スマートフォンが浸水したことを検出する。ただし、閾値ＴＨ１は、タッチパネルへのユーザの指の接触を検出するための閾値である。
【０１８８】
（６）海水浸漬判定
第４〜第５の実施形態では、スマートフォンが海岸付近に位置するかどうかに基づいて、海水への浸漬を判定したが、これに限定するものではない。たとえば、加速度センサによって、スマートフォンの落下の検出も用いるものとしてもよい。海水浸漬判定部は、スマートフォンが海岸付近に位置し、かつスマートフォンの落下が検出されたときに、スマートフォンが海水に浸漬したと判定するものとしてもよい。
【０１８９】
（７）海岸付近の所在とスマートフォンの海水浸漬判定
第４の実施形態および第４の実施形態の変形例では、海水浸漬判定部は、スマートフォンの現在位置が海岸付近であると検出されると、直ちにスマートフォンが海水に浸漬したと判定した。すなわち、海水浸漬判定部は、図１６のステップＳ７０２でＹＥＳ、および図１７のステップＳ８０３でＹＥＳとなったときに、スマートフォンが海水に浸漬したと判定した。しかしながら、本開示は、これに限定されるものではない。
【０１９０】
海水浸漬判定部は、スマートフォンの現在位置が海岸付近である状態が所定時間継続した場合に、スマートフォンが海水に浸漬したと判定するものとしてもよい。すなわち、海水浸漬判定部は、図１６のステップＳ７０２、Ｓ８０３でＹＥＳの後、現在位置が海岸付近である状態が所定時間継続したときに、処理がステップＳ７０３、Ｓ８０４に進み、所定時間継続しなかったときには、処理がステップＳ７０１、Ｓ８０１に戻るものとしてもよい。
【０１９１】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１９２】
１  スマートフォン、２  タッチパネル、３  塩分検出部、４  海水浸漬判定部、５  通知部、６  カメラ、７  ディスプレイ、８  メモリ、９  スピーカ、１０  マイク、１３  無線通信部、１４  アンテナ、１５  水洗い要判定部、１６  防水シート、９８  水洗い検出部、４３  位置検出部、５１  浸水検出部。
【図１】
0006482922.tif 000002
【図２】
0006482922.tif 000003
【図３】
0006482922.tif 000004
【図４】
0006482922.tif 000005
【図５】
0006482922.tif 000006
【図６】
0006482922.tif 000007
【図７】
0006482922.tif 000008
【図８】
0006482922.tif 000009
【図９】
0006482922.tif 000010
【図１０】
0006482922.tif 000011
【図１１】
0006482922.tif 000012
【図１２】
0006482922.tif 000013
【図１３】
0006482922.tif 000014
【図１４】
0006482922.tif 000015
【図１５】
0006482922.tif 000016
【図１６】
0006482922.tif 000017
【図１７】
0006482922.tif 000018
【図１８】
0006482922.tif 000019
【図１９】
0006482922.tif 000020
【図２０】
0006482922.tif 000021
【図２１】
0006482922.tif 000022
【図２２】
0006482922.tif 000023